(57)【要約】【課題】電池モジュールおよびそのバスバーアセンブリを提供する。【解決手段】バスバーアセンブリ２は第１及び第２バスバー部材２１，２２並びに第１絶縁体２３を含む。第１バスバー部材２１は第１及び第２接続部並びに第１本体部を含み、第１接続部は第１電池ユニット１１に接続されるように設けられ、第２接続部は第２電池ユニット１２に接続されるように設けられ、第１本体部は第１及び第２接続部を接続する。第２バスバー部材２２は第３及び第４接続部並びに第２本体部を含み、第３接続部は第３電池ユニット１３に接続されるように設けられ、第４接続部は第４電池ユニット１４に接続されるように設けられ、第２本体部は第３及び第４接続部を接続する。高さ方向Ｚに沿って、第１本体部は第２本体部と部分的に重なり、第１絶縁体２３は第２及び第１本体部を隔て、第１〜第４電池ユニット１１〜１４は縦方向Ｙに沿って順に配列されるように設けられている。【選択図】図１
2020047582.tif 000002
【特許請求の範囲】
【請求項１】
第１バスバー部材（２１）、第２バスバー部材（２２）および第１絶縁体（２３）を含み、
第１バスバー部材（２１）は、第１接続部（２１１）、第２接続部（２１２）および第１本体部（２１３）を含み、第１接続部（２１１）は、第１電池ユニット（１１）に接続されるように設けられ、第２接続部（２１２）は、第２電池ユニット（１２）に接続されるように設けられ、第１本体部（２１３）は、第１接続部（２１１）と第２接続部（２１２）を接続し、
第２バスバー部材（２２）は、第３接続部（２２１）、第４接続部（２２２）および第２本体部（２２３）を含み、第３接続部（２２１）は、第３電池ユニット（１３）に接続されるように設けられ、第４接続部（２２２）は、第４電池ユニット（１４）に接続されるように設けられ、第２本体部（２２３）は、第３接続部（２２１）と第４接続部（２２２）を接続し、
高さ方向（Ｚ）に沿って、第１本体部（２１３）は第２本体部（２２３）と部分的に重なり、第１絶縁体（２３）は、第２本体部（２２３）と第１本体部（２１３）とを隔て、
第１電池ユニット（１１）、第３電池ユニット（１３）、第２電池ユニット（１２）および第４電池ユニット（１４）は、縦方向（Ｙ）に沿って順に配列されるように設けられている、
ことを特徴とする電池モジュールにおけるバスバーアセンブリ（２）。
【請求項２】
第１接続部（２１１）、第３接続部（２２１）、第２接続部（２１２）および第４接続部（２２２）は、縦方向（Ｙ）に沿って順に間隔を置いて設けられ、
第１接続部（２１１）と第２接続部（２１２）は、いずれも第１本体部（２１３）の横方向（Ｘ）に沿った同じ側に位置し、第３接続部（２２１）と第４接続部（２２２）は、いずれも第２本体部（２２３）の横方向（Ｘ）に沿った同じ側に位置する、
ことを特徴とする請求項１に記載のバスバーアセンブリ（２）。
【請求項３】
第１バスバー部材（２１）には、第１切欠部（２１４）が設けられている、
ことを特徴とする請求項１または２に記載のバスバーアセンブリ（２）。
【請求項４】
高さ方向（Ｚ）に沿って、第１切欠部（２１４）は、第２本体部（２２３）の上側に位置する、
ことを特徴とする請求項３に記載のバスバーアセンブリ（２）。
【請求項５】
第１切欠部（２１４）は、第１本体部（２１３）の縦方向（Ｙ）に沿った一端に位置する、
ことを特徴とする請求項４に記載のバスバーアセンブリ（２）。
【請求項６】
第１バスバー部材（２１）は、第１延在部（２１６）をさらに含み、第１延在部（２１６）は、第２接続部（２１２）の第１接続部（２１１）に近い側に設けられ、且つ、第２接続部（２１２）と第１本体部（２１３）を接続する、
ことを特徴とする請求項５に記載のバスバーアセンブリ（２）。
【請求項７】
第１バスバー部材（２１）にはさらに第２切欠部（２１５）が設けられており、第２切欠部（２１５）と第１切欠部（２１４）はそれぞれ第１本体部（２１３）の縦方向（Ｙ）に沿った両端に位置する、
ことを特徴とする請求項２または５に記載のバスバーアセンブリ（２）。
【請求項８】
第１バスバー部材（２１）は、第２延在部（２１７）をさらに含み、第２延在部（２１７）は、第１接続部（２１１）の第２接続部（２１２）に近い側に設けられ、且つ、第１接続部（２１１）と第１本体部（２１３）を接続する、
ことを特徴とする請求項７に記載のバスバーアセンブリ（２）。
【請求項９】
第１本体部（２１３）は、縦方向（Ｙ）に沿って順に設けられた第１領域（２１３Ａ）、第２領域（２１３Ｂ）および第３領域（２１３Ｃ）を含み、第１領域（２１３Ａ）は、第１接続部（２１１）に接続され、第３領域（２１３Ｃ）は、第２接続部（２１２）に接続され、第２領域（２１３Ｂ）は、第１領域（２１３Ａ）と第３領域（２１３Ｃ）との間に位置し、
高さ方向（Ｚ）に沿って、第３領域（２１３Ｃ）は、第２本体部（２２３）と重なり、
第２領域（２１３Ｂ）は、アーチ状であり、且つ、第１領域（２１３Ａ）と第３領域（２１３Ｃ）に対して突出する、
ことを特徴とする請求項２乃至８のいずれか１項に記載のバスバーアセンブリ（２）。
【請求項１０】
第２本体部（２２３）は、縦方向（Ｙ）に沿って順に設けられた第４領域（２２３Ａ）、第５領域（２２３Ｂ）および第６領域（２２３Ｃ）を含み、第６領域（２２３Ｃ）は、第４接続部（２２２）に接続され、第５領域（２２３Ｂ）は、第６領域（２２３Ｃ）に接続され、且つ、第６領域（２２３Ｃ）に対して折り曲げられ、第４領域（２２３Ａ）は、第５領域（２２３Ｂ）に接続され、且つ、第１本体部（２１３）と高さ方向（Ｚ）に重なり、
第３接続部（２２１）は、第７領域（２２１Ａ）と第８領域（２２１Ｂ）を含み、第７領域（２２１Ａ）は、第３電池ユニット（１３）に接続されるように設けられ、第８領域（２２１Ｂ）は、第７領域（２２１Ａ）に接続され、且つ、第７領域（２２１Ａ）に対して折り曲げられ、第４領域（２２３Ａ）は、第８領域（２２１Ｂ）に接続されている、
ことを特徴とする請求項２乃至８のいずれか１項に記載のバスバーアセンブリ（２）。
【請求項１１】
第２本体部（２２３）は、第９領域（２２３Ｄ）をさらに含み、第９領域（２２３Ｄ）は、第４領域（２２３Ａ）と第５領域（２２３Ｂ）との間に位置し、
第９領域（２２３Ｄ）は、アーチ状であり、且つ、第４領域（２２３Ａ）に対して突出する、
ことを特徴とする請求項１０に記載のバスバーアセンブリ（２）。
【請求項１２】
第１電池ユニット（１１）、第２電池ユニット（１２）、第３電池ユニット（１３）、第４電池ユニット（１４）および請求項１乃至１１のいずれか１項に記載のバスバーアセンブリ（２）を含み、
第１電池ユニット（１１）、第３電池ユニット（１３）、第２電池ユニット（１２）および第４電池ユニット（１４）は、縦方向（Ｙ）に沿って順に配列され、
第１接続部（２１１）は、第１電池ユニット（１１）に接続され、第２接続部（２１２）は、第２電池ユニット（１２）に接続され、
第３接続部（２２１）は、第３電池ユニット（１３）に接続され、第４接続部（２２２）は、第４電池ユニット（１４）に接続されている、
ことを特徴とする電池モジュール。
【発明の詳細な説明】
【技術分野】
【０００１】
本発明は、電池分野に関し、特に電池モジュールおよびそのバスバーアセンブリに関する。
【背景技術】
【０００２】
電池モジュールは一般に、複数の電池とバスバー部材を含み、バスバー部材は、前記複数の電池の電気的接続を実現するために前記複数の電池に接続される。しかしながら、従来の電池モジュールでは、バスバー部材が隣り合う電池しか接続することができないため、電池の接続の順番が固定であり、電池モジュールの回路が単一であり、電池モジュールが可変回路に対する要求を満たすことが困難である。
【発明の概要】
【発明が解決しようとする課題】
【０００３】
本発明は、背景技術に存在する問題を鑑みてなされたものであり、電池モジュールの内部回路接続の多様化を実現でき、電池モジュールが可変回路に対する要求を満たすことができる電池モジュールおよびそのバスバーアセンブリを提供することを目的とする。
【０００４】
上記目的を実現するために、本発明は、電池モジュールおよびそのバスバーアセンブリを提供する。
【課題を解決するための手段】
【０００５】
バスバーアセンブリは、第１バスバー部材、第２バスバー部材および第１絶縁体を含む。第１バスバー部材は、第１接続部、第２接続部および第１本体部を含み、第１接続部は、第１電池ユニットに接続されるように設けられ、第２接続部は、第２電池ユニットに接続されるように設けられ、第１本体部は、第１接続部と第２接続部を接続する。第２バスバー部材は、第３接続部、第４接続部および第２本体部を含み、第３接続部は、第３電池ユニットに接続されるように設けられ、第４接続部は、第４電池ユニットに接続されるように設けられ、第２本体部は、第３接続部と第４接続部を接続する。高さ方向に沿って、第１本体部は、第２本体部と部分的に重なり、第１絶縁体は、第２本体部と第１本体部とを隔て、第１電池ユニット、第３電池ユニット、第２電池ユニットおよび第４電池ユニットは、縦方向に沿って順に配列されるように設けられている。
【０００６】
第１接続部、第３接続部、第２接続部および第４接続部は、縦方向に沿って順に間隔を置いて設けられ、第１接続部と第２接続部は、いずれも第１本体部の横方向に沿った同じ側に位置し、第３接続部と第４接続部は、いずれも第２本体部の横方向に沿った同じ側に位置する。
【０００７】
第１バスバー部材には、第１切欠部が設けられている。高さ方向に沿って、第１切欠部は、第２本体部の上側に位置する。
【０００８】
第１切欠部は、第１本体部の縦方向に沿った一端に位置する。第１バスバー部材は、第１延在部をさらに含み、第１延在部は、第２接続部の第１接続部に近い側に設けられ、且つ、第２接続部と第１本体部を接続する。
【０００９】
第１バスバー部材には、さらに第２切欠部が設けられている。第２切欠部と第１切欠部は、それぞれ第１本体部の縦方向に沿った両端に位置する。第１バスバー部材は、第２延在部をさらに含み、第２延在部は、第１接続部の第２接続部に近い側に設けられ、且つ、第１接続部と第１本体部を接続する。
【００１０】
第１本体部は、縦方向に沿って順に設けられた第１領域、第２領域および第３領域を含み、第１領域は、第１接続部に接続され、第３領域は、第２接続部に接続され、第２領域は、第１領域と第３領域との間に位置する。第３領域は、高さ方向に沿って第２本体部と重なり、第２領域は、アーチ状であり、且つ、第１領域と第３領域に対して突出する。
【００１１】
第２本体部は、縦方向に沿って順に設けられた第４領域、第５領域および第６領域を含み、第６領域は、第４接続部に接続され、第５領域は、第６領域に接続され、且つ、第６領域に対して折り曲げられ、第４領域は、第５領域に接続され、第１本体部と高さ方向に重なる。第３接続部は、第７領域と第８領域を含み、第７領域は、第３電池ユニットに接続されるように設けられ、第８領域は、第７領域に接続され、且つ、第７領域に対して折り曲げられ、第４領域は、第８領域に接続されている。
【００１２】
第２本体部は、第９領域をさらに含み、前記第９領域は、第４領域と第５領域との間に位置する。第９領域は、アーチ状であり、且つ、第４領域に対して突出する。
【００１３】
電池モジュールは、第１電池ユニット、第２電池ユニット、第３電池ユニット、第４電池ユニットおよび上述したバスバーアセンブリを含む。第１電池ユニット、第３電池ユニット、第２電池ユニットおよび第４電池ユニットは、縦方向に沿って順に配列され、第１接続部は、第１電池ユニットに接続され、第２接続部は、第２電池ユニットに接続され、第３接続部は、第３電池ユニットに接続され、第４接続部は、第４電池ユニットに接続されている。
【発明の効果】
【００１４】
本発明によれば、本願に係る電池モジュールでは、バスバー部材が隔てられた電池を接続することが可能となり、バスバー部材を合理的に組み合わせることによって、電池モジュールの内部回路接続の多様化を実現することができ、電池モジュールが可変回路に対する要求を満たすことができるようになるという有益な効果を奏することができる。
【図面の簡単な説明】
【００１５】
【図１】本発明に係る電池モジュールの模式図である。
【図２】本発明に係る電池モジュールとバスバーアセンブリの接続を示す模式図である。
【図３】本発明に係るバスバーアセンブリの一実施形態の模式図である。
【図４】図３のバスバーアセンブリの分解図である。
【図５】本発明に係るバスバーアセンブリの他の実施形態の模式図である。
【図６】図５のバスバーアセンブリの分解図である。
【図７】図５のバスバーアセンブリの平面図である。
【発明を実施するための形態】
【００１６】
本願の目的、技術案および利点をより分かりやすくするために、図面および実施形態を参照しながら、以下に本願をさらに詳細に説明する。ここで記載された具体的な実施形態は単に本願を解釈するためのものであり、本願を限定するためのものではないと考えられるべきである。
【００１７】
本願の記載において、特に別途の規定や断りが無い限り、「第１」、「第２」、「第３」という用語は、説明の目的でのみ用いられており、相対的な重要性を示すまたは暗示するものとして解釈されるべきではない。「複数」という用語は、２つまたは２つ以上を意味するものである。特に別途の規定や断りが無い限り、「接続」、「固定」という用語は、いずれも広義に解釈されるべきものであり、例えば、「接続」は、固定接続であってもよく、取り外し可能な接続、または、一体的な接続や電気的な接続や信号接続であってもよく、「接続」は、直接的に接続することであってもよく、中間媒体を介して間接的に接続することであってもよい。当業者にとっては、具体的な状況に応じて、本願における上記用語の具体的な意味を理解することができる。
【００１８】
本明細書の記載において、本願実施形態に記載される「上」、「下」などの用語は、図面に示される角度から記載されるものであり、本願実施形態を限定するものとして解釈されるべきではないと理解されるべきである。また、文脈において、１つの要素が他の１つの要素の「上」または「下」に接続されることを言及するとき、他の１つの要素の「上」または「下」に直接的に接続することができるだけではなく、中間要素を介して他の１つの要素の「上」または「下」に接続することもできる。以下、本願について、具体的な実施形態を通して図面を結合してさらに詳細に説明する。
【００１９】
図１と図２を参照して、電池モジュールは、電池１と、バスバーアセンブリ２と、エンドプレート３と、サイドプレート４と、ワイヤハーネスプレート５とを含む。
【００２０】
電池１は、角柱状のリチウムイオン電池であってもよく、頂部において突出する２つの電極端子、すなわち正極端子Ｔ１と負極端子Ｔ２を有する。電池１は複数であり、縦方向Ｙに沿って順に配列されている。エンドプレート３は２つであり、それぞれ上記複数の電池１の縦方向Ｙに沿った両端に設けられ、サイドプレート４は２つであり、それぞれ上記複数の電池１の横方向Ｘに沿った両側に設けられ、エンドプレート３とサイドプレート４は互いに溶接されて矩形のフレームを形成する。上記複数の電池１は、接着などの形態によって上記フレームに固定されてもよい。ワイヤハーネスプレート５は、上記複数の電池１の上側に設けられている。バスバーアセンブリ２はワイヤハーネスプレート５に固定され、複数のバスバー部材を含み、バスバー部材は上記複数の電池１を電気的に接続して、電池モジュールの充放電を実現する。ワイヤハーネスプレート５は、バスバー部材を介して各電池１の情報、例えば電流、電圧などを収集する。
【００２１】
本願の電池モジュールでは、上記複数の電池１を複数の電池ユニットに分けて、各電池ユニットは、少なくとも１つの電池１を含む。上記複数の電池ユニットは、電池１の数が同じでもよく、異なってもよい。一実施形態では、図２を参照して、各電池ユニットは１つの電池１を含む。
【００２２】
図２と図３を参照して、バスバーアセンブリ２は、第１バスバー部材２１、第２バスバー部材２２および第１絶縁体２３を含む。
【００２３】
第１バスバー部材２１は、第１接続部２１１、第２接続部２１２および第１本体部２１３を含み、第１接続部２１１は、溶接によって第１電池ユニット１１に接続されてもよく、第２接続部２１２は、溶接によって第２電池ユニット１２に接続されてもよく、第１本体部２１３は、第１接続部２１１と第２接続部２１２を接続する。第１バスバー部材２１は、一体型の金属板状部材であってもよい。
【００２４】
一実施形態では、第１電池ユニット１１と第２電池ユニット１２はいずれも１つの電池１を含み、図２を参照して、第１接続部２１１は第１電池ユニット１１における電池１の正極端子Ｔ１に接続されてもよく、第２接続部２１２は第２電池ユニット１２における電池１の負極端子Ｔ２に接続されてもよい。第１本体部２１３は第１接続部２１１と第２接続部２１２を接続するため、第１バスバー部材２１は第１電池ユニット１１と第２電池ユニット１２を直列に接続する。或いは、他の一実施形態では、第１電池ユニット１１と第２電池ユニット１２はいずれも縦方向Ｙに沿って順に配列される複数の電池１を含み、第１接続部２１１は、第１電池ユニット１１における上記複数の電池１の正極端子Ｔ１に接続されて、第１電池ユニット１１における複数の電池１を並列に接続してもよく、第２接続部２１２は、第２電池ユニット１２における上記複数の電池１の負極端子Ｔ２に接続されて、第２電池ユニット１２における複数の電池１を並列に接続してもよい。第１本体部２１３は第１接続部２１１と第２接続部２１２を接続するため、第１バスバー部材２１は第１電池ユニット１１と第２電池ユニット１２を直列に接続する。
【００２５】
第２バスバー部材２２は、第３接続部２２１、第４接続部２２２および第２本体部２２３を含み、第３接続部２２１は、溶接によって第３電池ユニット１３に接続されてもよく、第４接続部２２２は、溶接によって第４電池ユニット１４に接続されてもよく、第２本体部２２３は、第３接続部２２１と第４接続部２２２を接続する。第２バスバー部材２２は、一体型の金属板状部材であってもよい。
【００２６】
一実施形態では、第３電池ユニット１３と第４電池ユニット１４はいずれも１つの電池１を含み、図２を参照して、第３接続部２２１は第３電池ユニット１３における電池１の負極端子Ｔ２に接続されてもよく、第４接続部２２２は第４電池ユニット１４における電池１の正極端子Ｔ１に接続されてもよい。第２本体部２２３は第３接続部２２１と第４接続部２２２を接続するため、第２バスバー部材２２は第３電池ユニット１３と第４電池ユニット１４を直列に接続する。
【００２７】
電池モジュールでは、第１電池ユニット１１、第３電池ユニット１３、第２電池ユニット１２および第４電池ユニット１４は縦方向Ｙに沿って順に配列されているため、第１本体部２１３は第３電池ユニット１３にまたがって延在し、第２本体部２２３は第２電池ユニット１２にまたがって延在する。
【００２８】
第１バスバー部材２１と第２バスバー部材２２が横方向Ｘに占めるスペースを節約して、組み立てを容易にするため、好ましくは、第１本体部２１３と第２本体部２２３は高さ方向Ｚに沿って上下に設けられている。第１本体部２１３と第２本体部２２３が上下に設けられていると、第１本体部２１３と第２本体部２２３は、高さ方向Ｚに沿って部分的に重なることになり、互いに接触する恐れがある。本願では、第１バスバー部材２１と第２バスバー部材２２との間に第１絶縁体２３を設けることによって、第１本体部２１３と第２本体部２２３が絶縁されて隔てられて、第１バスバー部材２１と第２バスバー部材２２が導通してしまうことを回避することができる。
【００２９】
第１バスバー部材２１と第２バスバー部材２２の間の沿面距離と電気的間隔の要求を満たすために、第１絶縁体２３の縁は、第２本体部２２３と第１本体部２１３との間の重なり領域を超えるべきであり、好ましくは、第１絶縁体２３の縁は、少なくとも、上記重なり領域を２ｍｍ超える。第１絶縁体２３は、絶縁耐圧と接着重合の機能を有しており、且つ、第１絶縁体２３の二つ面は、それぞれ第１本体部２１３と第２本体部２２３に接着されている。
【００３０】
図１と図２を参照して、バスバーアセンブリ２は、複数の第３バスバー部材２５をさらに含み、第１バスバー部材２１、第２バスバー部材２２および第３バスバー部材２５は、すべての電池１を互いに接続する。
【００３１】
本願の電池モジュールでは、バスバー部材は、間隔を置いて設けられた電池１を接続することができるため、バスバー部材を合理的に組み合わせることによって、電池モジュールの内部回路の接続の多様化を実現することができ、電池モジュールが可変回路に対する要求を満たすことができる。
【００３２】
また、バスバー部材を合理的に設けることによって、電池モジュールの正負の出力極が同じ側に位置するようにして、電池モジュールの同じ側の出力を実現することができ、電池モジュールの間の接続構造を簡単化することができる。
【００３３】
図３〜図７を参照して、第１接続部２１１、第３接続部２２１、第２接続部２１２および第４接続部２２２は、縦方向Ｙに沿って順に間隔を置いて設けられ、各部分の間の距離は、沿面距離と電気的間隔の要求を満たすために少なくとも２ｍｍより大きい。第１接続部２１１と第２接続部２１２は、いずれも第１本体部２１３の横方向Ｘに沿った同じ側に位置し、第３接続部２２１と第４接続部２２２は、いずれも第２本体部２２３の横方向Ｘに沿った同じ側に位置する。
【００３４】
以下、本願のバスバーアセンブリ２について、異なる実施形態を用いて説明する。
【００３５】
第１実施形態では、図３と図４を参照して、第１バスバー部材２１と第２バスバー部材２２は、同様の構造を採用することができる。ここで、第１バスバー部材２１と第２バスバー部材２２は、高さ方向Ｚに沿って上下に設けられてもよい。本実施形態では、第１バスバー部材２１は、第２バスバー部材２２の上側に設けられているが、代替的な実施形態では、第１バスバー部材２１は、第２バスバー部材２２の下側に設けられても良い。
【００３６】
具体的には、第１本体部２１３は、少なくとも一部が第２本体部２２３の上側に位置する。第２本体部２２３が下側に位置するため、第２本体部２２３が第２電池ユニット１２にまたがると、第２電池ユニット１２における電池１（特に電極端子）と接触する可能性がある。本願では、第２本体部２２３の電池１に近い面には第２絶縁体２４が貼り付けられており、第２絶縁体２４は第２本体部２２３と第２電池ユニット１２における電池１を絶縁して隔てることができる。
【００３７】
電池モジュールでは、すべての電池１の仕様は同じであるため、隣り合う電池１の電極端子の間隔も同じである。第１電池ユニット１１、第２電池ユニット１２、第３電池ユニット１３および第４電池ユニット１４は、電池１の数が同じである場合、縦方向Ｙにおいて、第１バスバー部材２１に必要な全長は、第２バスバー部材２２に必要な全長とほぼ同じである。
【００３８】
図４を参照して、第２本体部２２３の縦方向Ｙに沿った両端はそれぞれ第３接続部２２１の外端および第４接続部２２２の外端と面一となり、換言すれば、縦方向Ｙに沿って、第２本体部２２３の幅は、第２バスバー部材２２の全幅に等しい。同様に、第１本体部２１３の縦方向Ｙに沿った両端は、それぞれ第１接続部２１１の外端および第２接続部２１２の外端と面一になる。
【００３９】
図５〜図７を参照して、本願の第２実施形態は、第１バスバー部材２１の構造を除いて、第１実施形態とほぼ同じである。
【００４０】
第１バスバー部材２１には第１切欠部２１４が設けられている。これにより、発熱経路を短くすることができ、第１バスバー部材２１の発熱量を低下させることができる。
【００４１】
本願のバスバーアセンブリ２では、第１本体部２１３と第２本体部２２３は高さ方向Ｚに沿って部分的に重なり、重なり部分に熱が蓄積しやすく、第１絶縁体２３は第２本体部２２３と第１本体部２１３との間に位置するため、温度上昇が高すぎると、第１絶縁体２３が焼損されやすくなり、絶縁不良を招いてしまう。特に、第１実施形態では、第１本体部２１３と第２本体部２２３との重なり部分の面積が大きく、放熱効率が低く、熱溜まりがより発生しやすい。
【００４２】
第１実施形態と比較して、図６を参照して、第２実施形態の第１バスバー部材２１には第１切欠部２１４が設けられており、高さ方向Ｚに沿って、第１切欠部２１４は、第２本体部２２３の上側または下側に位置する。第１切欠部２１４により、第１絶縁体２３または第２本体部２２３の露出面積を増大することができ、第２本体部２２３および第１絶縁体２３のために放熱流路を提供して放熱効率を向上させ、熱溜まりを低減させる。
【００４３】
好ましくは、第１バスバー部材２１は第２バスバー部材２２の上側に設けられ、それに対応して、高さ方向Ｚに沿って、第１本体部２１３と第１切欠部２１４はいずれも第２本体部２２３の上側に位置する。電池１は動作中に発熱するため、バスバーアセンブリ２の下側の空間の温度は、一般的に、バスバーアセンブリ２の上側の空間の温度より高い。第１切欠部２１４を第２本体部２２３の上側に設けることで、第１絶縁体２３または第２本体部２２３を上記上側の空間に露出させることができるため、放熱効率を向上させる。
【００４４】
第１切欠部２１４の位置は、要求に応じて設定することができる。第１切欠部２１４が直接に第１本体部２１３の内部に開設されると、第１切欠部２１４における第１本体部２１３の過電流面積を小さくすることになる。よって、好ましくは、第１切欠部２１４は、第１本体部２１３の縦方向Ｙに沿った一端に位置し、第１本体部２１３と第２接続部２１２は第１切欠部２１４の境界になる。この場合、第１切欠部２１４は、第１本体部２１３の過電流面積に影響を与えず、第１本体部２１３の縦方向Ｙに沿った全体長さのみを低減させる。
【００４５】
図４と図６を比較すると、第２実施形態における第１バスバー部材２１に第１切欠部２１４を設けることにより、第１本体部２１３と第２接続部２１２との接続箇所における過電流面積を小さくして、第１バスバー部材２１の過電流能力に影響を及ぼすことになる。よって、好ましくは、第２実施形態における第１バスバー部材２１は、第１延在部２１６をさらに含み、第１延在部２１６は、第２接続部２１２の第１接続部２１１に近い側に設けられ、第２接続部２１２と第１本体部２１３を接続する。第１延在部２１６は、中継作用を果たすことができ、第１本体部２１３と第２接続部２１２との間の過電流面積を増大させ、第１バスバー部材２１の過電流能力を確保することができる。
【００４６】
第１バスバー部材２１にはさらに第２切欠部２１５が設けられており、第１切欠部２１４と第２切欠部２１５はそれぞれ第１本体部２１３の縦方向Ｙに沿った両端に位置する。第１本体部２１３と第１接続部２１１は第２切欠部２１５の境界となる。第２切欠部２１５は、第１本体部２１３と第２本体部２２３との重なり面積を小さくしないが、発熱経路を短くして、発熱量を低減することができる。
【００４７】
同様に、第２切欠部２１５も、第１本体部２１３と第１接続部２１１との接続箇所における面積を小さくして、第１バスバー部材２１の過電流能力に影響を及ぼす。よって、好ましくは、第１バスバー部材２１は第２延在部２１７をさらに含み、第２延在部２１７は、第１接続部２１１の第２接続部２１２に近い側に設けられ、第１接続部２１１と第１本体部２１３を接続する。
【００４８】
第１バスバー部材２１では、第１接続部２１１、第２延在部２１７および第１本体部２１３は、Ｚ字状の折り曲げ構造をなしており、同様に、第２接続部２１２、第１延在部２１６および第１本体部２１３は、Ｚ字状の折り曲げ構造をなしている。電池モジュールの使用中に、電池１が膨張することがあり、電池１が膨張すると、第１バスバー部材２１と第２バスバー部材２２は引張応力の作用を受けることになる。第１実施形態における第１バスバー部材２１と比較して、第２実施形態における第１バスバー部材２１のＺ字状の折り曲げ構造は、応力の分散に寄与し、折り曲げ箇所において破断しにくい。
【００４９】
図６を参照して、第１本体部２１３は、縦方向Ｙに沿って順に設けられた第１領域２１３Ａ、第２領域２１３Ｂおよび第３領域２１３Ｃを含み、第１領域２１３Ａは、第１接続部２１１に接続され、第３領域２１３Ｃは、第２接続部２１２に接続され、第２領域２１３Ｂは、第１領域２１３Ａと第３領域２１３Ｃとの間に位置する。高さ方向Ｚに沿って、第３領域２１３Ｃと第２本体部２２３が重なっており、縦方向Ｙに沿って、第１領域２１３Ａと第２領域２１３Ｂはいずれも第２本体部２２３の外側に位置する。
【００５０】
電池モジュールを組み立てる過程で、順に電池１を積み重ねる必要があるが、組立誤差によって、電池１の間に高さ方向Ｚに高さの差が生じる可能性がある。第１バスバー部材２１は第１電池ユニット１１と第２電池ユニット１２に同時に溶接される必要がある。第１電池ユニット１１と第２電池ユニット１２との間に高さの差があると、第１接続部２１１と第２接続部２１２は同時に電極端子に貼り合わせることができず、溶接不良を引き起こしやすくなる。本願では、第２領域２１３Ｂはアーチ状であることが好ましく、第１バスバー部材２１は第２領域２１３Ｂにおいて屈曲変形することができるので、第１電池ユニット１１と第２電池ユニット１２との間に高さの差があっても、第１接続部２１１と第２接続部２１２が同時に電極端子に貼り合わせることを確保することができるため、溶接不良を回避することができる。また、電池１が膨張すると、アーチ状の第２領域２１３Ｂは引っ張り力の作用下で変形して応力を吸収することができるため、第１バスバー部材２１が引っ張られて破断してしまうことを回避することができる。
【００５１】
第２領域２１３Ｂは第２本体部２２３の外側に位置するため、第２領域２１３Ｂは、第１領域２１３Ａと第３領域２１３Ｃに対して下向きに突出することができる。このように、バスバーアセンブリ２の全体高さを増加させることはなく、スペースを十分に利用することができる。また、第２領域２１３Ｂは、１つでもよいが、スペースが許す限り、複数であり、且つ、縦方向Ｙに沿って設けられてもよい。
【００５２】
電池モジュールでは、すべての電池１の電極端子は同一平面内（組立誤差を考慮しない）にあるべきであるので、第１接続部２１１、第２接続部２１２、第３接続部２２１および第４接続部２２２はいずれも同一平面内にあるべきである。第１バスバー部材２１と第２バスバー部材２２は高さ方向Ｚに沿って上下に設けられるため、第１接続部２１１、第２接続部２１２、第３接続部２２１および第４接続部２２２が同一平面内にあるように、第１バスバー部材２１または第２バスバー部材２２を折り曲げ処理する必要がある。
【００５３】
具体的には、図６を参照して、第２本体部２２３は、縦方向Ｙに沿って順に設けられた第４領域２２３Ａ、第５領域２２３Ｂおよび第６領域２２３Ｃを含み、第６領域２２３Ｃは、第４接続部２２２に接続され、第５領域２２３Ｂは、第６領域２２３Ｃに接続され、且つ第６領域２２３Ｃに対して下向きに折り曲げられており、第４領域２２３Ａは、第５領域２２３Ｂに接続され、且つ高さ方向Ｚにおいて第１本体部２１３と重なる。第２本体部２２３を折り曲げることによって、第４接続部２２２と第１接続部２１１が面一になる。
【００５４】
第３接続部２２１は、第７領域２２１Ａと第８領域２２１Ｂを含み、第７領域２２１Ａは、第３電池ユニット１３に接続され、第８領域２２１Ｂは、第７領域２２１Ａに接続され、且つ第７領域２２１Ａに対して下向きに折り曲げられており、第４領域２２３Ａは、第８領域２２１Ｂに接続されている。第７領域２２１Ａは、平板状のものであり、且つ第１接続部２１１と面一になる。第１絶縁体２３は、第８領域２２１Ｂも覆い、第８領域２２１Ｂが第１本体部２１３と接触しないようにする。
【００５５】
好ましくは、第２本体部２２３は、アーチ状の第９領域２２３Ｄを含み、上記第９領域２２３Ｄは、第４領域２２３Ａと第５領域２２３Ｂとの間に位置する。第２本体部２２３の第９領域２２３Ｄは、第１本体部２１３における第２領域２１３Ｂの作用と同じであり、すなわち、電池１の間の高さの差および電池１の膨張時の応力を吸収するために機能する。第９領域２２３Ｄは第５領域２２３Ｂに直接に接続されてもよく、第９領域２２３Ｄと第５領域２２３Ｂは連続的な折り曲げ構造を形成し、こうして第５領域２２３Ｂは電池１の間の高さの差および電池１の膨張時の応力を吸収するために機能することもできる。
【００５６】
第９領域２２３Ｄは、第４領域２２３Ａに対して上向きに突出することが好ましい。このようにすれば、バスバーアセンブリ２の全体高さを増加させることはなく、スペースを十分に利用することができる。第９領域２２３Ｄは、１つでもよいが、スペースが許す限り、複数であり、縦方向Ｙに沿って設けられてもよい。
【００５７】
図５を参照して、第１接続部２１１、第２接続部２１２、第３接続部２２１および第４接続部２２２には、いずれも溶接時の位置決めのための識別孔が設けられている。
【００５８】
第１本体部２１３と第２本体部２２３にはプレス加工によって複数の凹部Ｐを形成してもよい。図１と図３を参照して、ワイヤハーネスプレート５に凸部が設けられてもよく、凸部が第１本体部２１３の１つの凹部Ｐと第２本体部２２３の１つの凹部Ｐまで延在することによって、第１バスバー部材２１と第２バスバー部材２２がワイヤハーネスプレート５に固定されるようになる。ワイヤハーネスプレート５は、ニッケル片によって第１本体部２１３の他の１つの凹部Ｐと第２本体部２２３の他の１つの凹部Ｐに接続されてもよく、上記ニッケル片は、電池１の電流や電圧の情報をワイヤハーネスプレート５に伝送することができる。
【符号の説明】
【００５９】
１      電池
１１      第１電池ユニット
１２      第２電池ユニット
１３      第３電池ユニット
１４      第４電池ユニット
２      バスバーアセンブリ
２１      第１バスバー部材
２１１      第１接続部
２１２      第２接続部
２１３      第１本体部
２１３Ａ      第１領域
２１３Ｂ      第２領域
２１３Ｃ      第３領域
２１４      第１切欠部
２１５      第２切欠部
２１６      第１延在部
２１７      第２延在部
２２      第２バスバー部材
２２１      第３接続部
２２１Ａ      第７領域
２２１Ｂ      第８領域
２２２      第４接続部
２２３      第２本体部
２２３Ａ      第４領域
２２３Ｂ      第５領域
２２３Ｃ      第６領域
２２３Ｄ      第９領域
２３      第１絶縁体
２４      第２絶縁体
２５      第３バスバー部材
３      エンドプレート
４      サイドプレート
５      ワイヤハーネスプレート
Ｔ１      正極端子
Ｔ２      負極端子
Ｐ      凹部
Ｘ      横方向
Ｙ      縦方向
Ｚ      高さ方向。
【図１】
2020047582.tif 000003
【図２】
2020047582.tif 000004
【図３】
2020047582.tif 000005
【図４】
2020047582.tif 000006
【図５】
2020047582.tif 000007
【図６】
2020047582.tif 000008
【図７】
2020047582.tif 000009